(57)【要約】【課題】意匠グリルが誤った向きで取り付けられることを防止した換気扇を得ること。【解決手段】換気扇２０は、室内外を連通させる筒状部材に室内側から挿入されて装着される円筒状の風洞２を有する本体フレーム３及び送風機を備えた本体６と、本体フレーム３に室内側から取り付けられる意匠グリル７と、意匠グリル７の本体フレーム３に向き合う部分に取り付けられるほこり取りフィルタ１６とを有し、本体フレーム３は、風洞２の室内側の開口部の外周に形成され風洞２の半径方向外側に張出すフランジ部９と、フランジ部９の端縁から背面側へ突出して室内の壁面に端面が当接する立上がり部１０とを備え、ほこり取りフィルタ１６は、意匠グリル７を正規の取付方向とは異なる向きで本体フレーム３に取り付けた場合にのみフランジ部９と干渉する取手部１６ｄを備える。【選択図】図１
2020020550.tif 000002
【特許請求の範囲】
【請求項１】
室内外を連通させる筒状部材に室内側から挿入されて装着される円筒状の風洞を有する本体フレーム及び送風機を備えた本体と、前記本体フレームに室内側から取り付けられる意匠グリルと、前記意匠グリルの前記本体フレームに向き合う部分に取り付けられるほこり取りフィルタとを有し、
前記本体フレームは、前記風洞の室内側の開口部の外周に形成され前記風洞の半径方向外側に張出すフランジ部と、前記フランジ部の端縁から背面側へ突出して室内の壁面に端面が当接する立上がり部とを備え、
前記ほこり取りフィルタは、前記意匠グリルを正規の取付方向とは異なる向きで前記本体フレームに取り付けた場合にのみ前記フランジ部と干渉する突起を備えることを特徴とする換気扇。
【請求項２】
前記フランジ部は、前記意匠グリルが正規の取付方向で前記本体フレームに取り付けられると前記突起が干渉せずに収容される凹部が形成されていることを特徴とする請求項１に記載の換気扇。
【請求項３】
前記ほこり取りフィルタは、前記意匠グリルを前記本体フレームに取り付ける際に前記凹部の縁と接して前記突起を前記凹部に案内するリブ部を有することを特徴とする請求項２に記載の換気扇。
【請求項４】
前記意匠グリルの端面は、前記突起が前記フランジ部と干渉した状態では、前記室内側の壁面と非接触であることを特徴とする請求項１から３のいずれか１項に記載の換気扇。
【請求項５】
前記突起は、前記ほこり取りフィルタの下部中央に設けられていることを特徴とする請求項１から４のいずれか１項に記載の換気扇。
【発明の詳細な説明】
【技術分野】
【０００１】
本発明は、室内側から設置され、室内の空気を室外へ排気する換気扇に関する。
【背景技術】
【０００２】
室内の空気を室外へ排気する換気扇は、換気流を発生させる羽根車に異物が付着すると、換気性能が低下したり、騒音が増大してしまう。このため、特許文献１に開示される換気扇のように、羽根車よりも室内側にほこり取りフィルタを設置して、羽根車にほこりといった異物が付着することを防止している。
【０００３】
室内側から設置する換気扇は、構成部品が室内から見えてしまうと、換気扇を設置した部屋の美観を損なうことになる。このため、室内側に意匠グリルを取り付けることにより、室内から換気扇の構成部品が見えないようにしている。
【０００４】
意匠グリル及びほこり取りフィルタを備えた換気扇は、ほこり取りフィルタを意匠グリルに取り付けた上で、意匠グリルが換気扇の本体に装着される。ほこり取りフィルタは、意匠グリルのうち本体と対向する側に取り付けられ、本体と意匠グリルとの間にほこり取りフィルタが配置される。
【先行技術文献】
【特許文献】
【０００５】
【特許文献１】実開昭６２−５７０２９号公報
【発明の概要】
【発明が解決しようとする課題】
【０００６】
本体への意匠グリルの取付方向は一方向であることが一般的であるため、意匠グリルの本体と対向する面に取付方向を刻印で表示することにより、誤った向きで意匠グリルを本体に取り付けることを防止することが試みられている。例えば、本体に取り付けた状態で上方に位置すべき部分に「上」といった刻印が表示される。しかし、ほこり取りフィルタを意匠グリルに取り付けると、取付方向を表示する刻印が隠れてしまうため、意匠グリルを誤った向きで本体に取り付けてしまう懸念がある。
【０００７】
本発明は、上記に鑑みてなされたものであって、意匠グリルが誤った向きで本体に取り付けられることを防止した換気扇を得ることを目的とする。
【課題を解決するための手段】
【０００８】
上述した課題を解決し、目的を達成するために、本発明は、室内外を連通させる筒状部材に室内側から挿入されて装着される円筒状の風洞を有する本体フレーム及び送風機を備えた本体と、本体フレームに室内側から取り付けられる意匠グリルと、意匠グリルの本体フレームに向き合う部分に取り付けられるほこり取りフィルタとを有する。本体フレームは、風洞の室内側の開口部の外周に形成され風洞の半径方向外側に張出すフランジ部と、フランジ部の端縁から背面側へ突出して室内の壁面に端面が当接する立上がり部とを備える。ほこり取りフィルタは、意匠グリルを正規の取付方向とは異なる向きで本体フレームに取り付けた場合にのみフランジ部と干渉する突起を備える。
【発明の効果】
【０００９】
本発明によれば、意匠グリルが誤った向きで取り付けられることを防止した換気扇を得られるという効果を奏する。
【図面の簡単な説明】
【００１０】
【図１】本発明の実施の形態１に係る換気扇の断面図
【図２】実施の形態１に係る換気扇の背面図
【図３】実施の形態１に係る換気扇の意匠グリルを外した状態での正面図
【図４】実施の形態１に係る換気扇の意匠グリルの内側を示す図
【図５】実施の形態１に係る換気扇のほこり取りフィルタの正面図
【図６】実施の形態１に係る換気扇のほこり取りフィルタの下面図
【図７】実施の形態１に係る換気扇の本体に意匠グリル及びほこり取りフィルタを誤った向きで本体に取り付けた状態を示す断面図
【発明を実施するための形態】
【００１１】
以下に、本発明の実施の形態に係る換気扇を図面に基づいて詳細に説明する。なお、この実施の形態によりこの発明が限定されるものではない。
【００１２】
実施の形態１．
図１は、本発明の実施の形態１に係る換気扇の断面図である。図２は、実施の形態１に係る換気扇の背面図である。図３は、実施の形態１に係る換気扇の意匠グリルを外した状態での正面図である。
【００１３】
実施の形態１に係る換気扇２０は、室内外を連通させるパイプ又はダクトといった筒状部材１に室内側から挿入して装着される。換気扇２０は、筒状部材１に挿入する円筒状の風洞２を有する樹脂製の本体フレーム３に送風機を取り付けた本体６と、本体６を室内側から覆う意匠グリル７とを備える。送風機は、プロペラ式の羽根車４及び電動機５を有する。
【００１４】
本体フレーム３は、風洞２の室内側の吸込口となるベルマウス形状の開口部８を備えている。なお、本体フレーム３は、室内側が前面側であり、室外側が背面側である。開口部８の口縁部には、前面構造３１が一体に形成されている。前面構造３１は、開口部８の口縁部から半径方向外側に張出す正方形状のフランジ部９と、フランジ部９の端縁に形成された立上がり部１０とを備える。立上がり部１０は、フランジ部９の端縁から背面側へ突出し、室内側の壁面に端面が当接する。フランジ部９は、閉端接続子といった電気接続部品を背面側に収納している。また、フランジ部９は、リード線及びリード線結線部への接触防止のため結線部保護カバー１８を備えている。また、フランジ部９は、外部電源電線を容易に接続可能な端子台１７を背面側に備えている。送風機は、本体フレーム３の風洞２の背面側に設けられた電動機取付構造３２に取り付けられている。本体フレーム３は、左側ねじ固定部１０ｃ、右側ねじ固定部１０ｄ、上側ねじ固定部１０ｅ及び下側ねじ固定部１０ｆの４箇所において、本体フレーム３の背面側に取り付けられている木ねじ１９を用いて据付面である室内側の壁面に固定される。
【００１５】
電動機取付構造３２は、円周方向に間隔をおいて風洞２の中心線方向に沿って背面側に延出する四本の脚部１１と、各脚部１１の端部から半径方向内側に延びる橋絡部１２と、橋絡部１２によって風洞２の中心に支持された電動機カバー１３とからなる。四本の脚部１１は、いずれも風洞２の外周よりも内側にある。脚部１１の一本の外側には、半径方向への拡開弾力により本体６を筒状部材１内に保持する反り付きの板ばね１４が装着されている。電動機取付構造３２には、電動機５がその外殻のフランジにおいて、シャフト１５が電動機カバー１３の先から風洞２の中心線上に突き出すようにねじ締めされている。風洞２内の中心線上に延出する電動機５のシャフト１５には、風洞２に内包される形態で羽根車４が装着されている。
【００１６】
図４は、実施の形態１に係る換気扇の意匠グリルの内側を示す図である。意匠グリル７の内側には、本体６への固定に用いる上側爪部７ｄと下側爪部７ｅとが設けられている。また、意匠グリル７の内側には、ほこり取りフィルタ１６を固定するのに用いるほこり取りフィルタ上側保持リブ７ａ及びほこり取りフィルタ下側保持リブ７ｂが設けられている。さらに、意匠グリル７の内側には、ほこり取りフィルタ１６を誤った向きで取り付けることを防止するほこり取りフィルタ誤取付防止リブ７ｃが設けられている。なお、意匠グリル７の内側とは、本体６と向かい合う側である。意匠グリル７の下部には、把持部７ｆが設けられている。把持部７ｆを把持することにより、本体６から意匠グリル７を取り外す操作を容易に行える。
【００１７】
上側爪部７ｄは、本体フレーム３の立上がり部１０に設けられた上側引掛け部１０ａに嵌合し、下側爪部７ｅは、本体フレーム３の立上がり部１０に設けられた下側引掛け部１０ｂに嵌合する。上側爪部７ｄが上側引掛け部１０ａに嵌合し、下側爪部７ｅが下側引掛け部１０ｂに嵌合することにより、意匠グリル７は本体６に固定される。
【００１８】
図５は、実施の形態１に係る換気扇のほこり取りフィルタの正面図である。図６は、実施の形態１に係る換気扇のほこり取りフィルタの下面図である。額縁状のフィルタ枠１６ａの開口部にフィルタメッシュ１６ｆが配置されている。フィルタ枠１６ａとフィルタメッシュ１６ｆとは一体構造であってもよい。フィルタ枠１６ａには、メンテナンス用取手１６ｃが形成されている。メンテナンス用取手１６ｃは、フィルタ枠１６ａから突出する突起である取手部１６ｄと、取手部１６ｄ側ほど高くなる斜面を備えたリブ部１６ｅとによって構成されている。メンテナンス用取手１６ｃは、フィルタ枠１６ａの下部中央に設けられている。フィルタ枠１６ａの下部中央にメンテナンス用取手１６ｃが設けられているため、取手部１６ｄが風路を塞いでしまうことがない。また、フィルタ枠１６ａの上部には、ほこり取りフィルタ誤取付防止リブ７ｃと係合する凹部１６ｂが設けられている。
【００１９】
ほこり取りフィルタ誤取付防止リブ７ｃ及び凹部１６ｂは、上部側となる一辺のみに形成されているため、上部側となるべき辺が左右又は下に位置する誤った向きでほこり取りフィルタ１６を意匠グリル７に取り付けることは防止される。なお、正規の取付方向で同じ側となる意匠グリル７及びほこり取りフィルタ１６の少なくとも一辺にほこり取りフィルタ誤取付防止リブ７ｃ及び凹部１６ｂが設けられていれば、ほこり取りフィルタ１６を誤った向きで意匠グリル７に取り付けることを防止できる。意匠グリル７及びほこり取りフィルタ１６の二辺以上にほこり取りフィルタ誤取付防止リブ７ｃ及び凹部１６ｂを設ける場合は、ほこり取りフィルタ誤取付防止リブ７ｃ及び凹部１６ｂの形状、位置及び設置間隔の少なくとも一つを異ならせることで、ほこり取りフィルタ１６を誤った向きで意匠グリル７に取り付けることを防止できる。
【００２０】
ほこり取りフィルタ１６は、ほこり取りフィルタ上側保持リブ７ａ及びほこり取りフィルタ下側保持リブ７ｂにフィルタ枠１６ａが挟まれることにより、意匠グリル７の本体フレーム３に向き合う部分に取り付けられる。
【００２１】
意匠グリル７に取り付けたほこり取りフィルタ１６は、メンテナンス用取手１６ｃを把持して引っ張ることにより、意匠グリル７から容易に取り外すことができる。
【００２２】
ほこり取りフィルタ１６を正規の取付方向で意匠グリル７に取り付けた場合、ほこり取りフィルタ誤取付防止リブ７ｃは、凹部１６ｂに収まり、意匠グリル７とほこり取りフィルタ１６とは干渉しない。しかし、ほこり取りフィルタ１６を正規の取付方向とは異なる方向で意匠グリル７に取り付けた場合、ほこり取りフィルタ誤取付防止リブ７ｃはフィルタ枠１６ａに当たり、意匠グリル７とほこり取りフィルタ１６とが干渉する。したがって、ほこり取りフィルタ１６を誤った取付方向で意匠グリル７に取り付けることは防止される。
【００２３】
図７は、実施の形態１に係る換気扇の本体に意匠グリル及びほこり取りフィルタを誤った向きで本体に取り付けた状態を示す断面図である。メンテナンス用取手１６ｃに設けられた取手部１６ｄは、意匠グリル７を上下逆又は横向きで本体６に取り付けた場合には、フランジ部９と干渉し、意匠グリル７の端面と据付面との間に隙間が発生して、意匠グリル７は据付面から浮いた状態になる。凹部１０ｇは、意匠グリル７を正しい向きで取り付けた場合には、フィルタ枠１６ａに設けられた取手部１６ｄが収まる印籠構造となっている。したがって、意匠グリル７を正しい向きで取り付けた場合には、意匠グリル７の端面と据付面との間に隙間が生じない。
【００２４】
図１は、本体６に意匠グリル７を正しい向きで取り付けた時の換気扇２０の断面を示している。ほこり取りフィルタ１６のフィルタ枠１６ａに設けられた取手部１６ｄが本体フレーム３に設けた凹部１０ｇに収まる構造となっている。メンテナンス用取手１６ｃに設けられたリブ部１６ｅは、意匠グリル７を正規の取付方向で取り付けたときに、フランジ部９に設けられた凹部１０ｇの縁に当接する構造となっている。
【００２５】
意匠グリル７が比較的容易に変形可能な樹脂成形部品であっても、誤った取付方向で本体６に取り付けようとした場合には取手部１６ｄがフランジ部９と干渉するため、正規の取付方向とは異なる向きで意匠グリル７を本体６に取り付けてしまうことは防止される。したがって、誤った向きで意匠グリル７を本体６に取り付けた状態が長時間続いて、意匠グリル７の嵌合部が塑性変形してしまい、正規の取付方向で取り付け直しても本体６に固定する嵌合力が低下してしまうことは防止される。
【００２６】
また、意匠グリル７とほこり取りフィルタ１６とがずれている場合でも、意匠グリル７を本体６に装着すると、ほこり取りフィルタ１６は、リブ部１６ｅの斜面が凹部１０ｇの縁に当接することによって正規の嵌合位置に案内され、位置ずれが解消される。
【００２７】
実施の形態１に係る換気扇２０は、ほこり取りフィルタ１６を誤った向きで意匠グリル７に取り付けると、ほこり取りフィルタ誤取付防止リブ７ｃがフィルタ枠１６ａに当たるため、ほこり取りフィルタ１６を誤った向きで意匠グリル７に取り付けたことをユーザが触覚により認識できる。さらに、ほこり取りフィルタ１６を誤った向きで取り付けた意匠グリル７を本体６に装着すると、意匠グリル７の端面と据付面との間に隙間が空き、意匠グリル７の端面と室内側の壁面とが非接触の状態となるため、ほこり取りフィルタ１６を誤った向きで意匠グリル７に取り付けたことをユーザが視覚により認識できる。したがって、実施の形態１に係る換気扇２０においては、取手部１６ｄが意匠グリル７又は本体６に干渉することを抑制できる。
【００２８】
実施の形態１に係る換気扇２０は、ほこり取りフィルタ１６がメンテナンス用取手１６ｃを有するため、メンテナンス時にほこり取りフィルタ１６を取り外す作業を容易に行える。また、ほこり取りフィルタ１６は、意匠グリル７と本体６との間に配置されるため、室内側にはほこり取りフィルタ１６が露出しない。
【００２９】
上記の説明において、フランジ部９は正方形状であったが、開口部８の口縁部から半径方向外側に張出す円形状であってもよい。フランジ部９が円形状の場合には、意匠グリル７は、正面視円形状とすることができる。
【００３０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３１】
１  筒状部材、２  風洞、３  本体フレーム、４  羽根車、５  電動機、６  本体、７  意匠グリル、７ａ  ほこり取りフィルタ上側保持リブ、７ｂ  ほこり取りフィルタ下側保持リブ、７ｃ  ほこり取りフィルタ誤取付防止リブ、７ｄ  上側爪部、７ｅ  下側爪部、７ｆ  把持部、８  開口部、９  フランジ部、１０  立上がり部、１０ａ  上側引掛け部、１０ｂ  下側引掛け部、１０ｃ  左側ねじ固定部、１０ｄ  右側ねじ固定部、１０ｅ  上側ねじ固定部、１０ｆ  下側ねじ固定部、１０ｇ，１６ｂ  凹部、１１  脚部、１２  橋絡部、１３  電動機カバー、１４  板ばね、１５  シャフト、１６  ほこり取りフィルタ、１６ａ  フィルタ枠、１６ｃ  メンテナンス用取手、１６ｄ  取手部、１６ｅ  リブ部、１６ｆ  フィルタメッシュ、１７  端子台、１８  結線部保護カバー、１９  木ねじ、２０  換気扇、３１  前面構造、３２  電動機取付構造。
【図１】
2020020550.tif 000003
【図２】
2020020550.tif 000004
【図３】
2020020550.tif 000005
【図４】
2020020550.tif 000006
【図５】
2020020550.tif 000007
【図６】
2020020550.tif 000008
【図７】
2020020550.tif 000009